【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
複数の貫通孔を有しているブロックと、
前記ブロックの前記複数の貫通孔に対応および整列する複数の貫通孔を有しているクランププレートと、
各々が前記クランププレートのそれぞれの貫通孔を通って挿入されて前記ブロックの対応する貫通孔に受け入れられる第１の端部を有しており、各々がチューブに結合するように構成された前記第１の端部の反対側の第２の端部を有しており、各々が（ｉ）前記ブロックの前記対応する貫通孔内に配置される外周面に配置された第１の環状溝および（ｉｉ）前記第１の溝から軸方向に離れて位置する前記外周面に配置された第２の環状溝を有しており、半径方向シールが前記ブロックの前記対応する貫通孔内で前記第１の環状溝に配置され、保持リングが前記クランププレートと前記ブロックとの間に位置するように前記第２の環状溝に配置される複数の継手と、
前記クランププレートを前記ブロックに結合させるように構成された複数の留め具と
を備えるマルチポートコネクタ。
【請求項２】
前記ブロックは、第１の端面と、前記第１の端面の反対側の第２の端面とを有し、前記クランププレートは、第１のクランププレートであり、前記複数の継手は、前記第１の端面を通って挿入される第１組の継手であり、
当該マルチポートコネクタは、
前記ブロックの前記複数の貫通孔に対応および整列するそれぞれの複数の貫通孔を有する第２のクランププレートと、
第２組の継手と
をさらに備え、
前記第２組の継手の各々の継手は、（ｉ）前記第２のクランププレートのそれぞれの貫通孔および前記ブロックの前記第２の端面を通って挿入されて前記ブロックの前記対応する貫通孔に受け入れられるそれぞれの第１の端部と、（ｉｉ）それぞれのチューブに結合するように構成された前記それぞれの第１の端部の反対側のそれぞれの第２の端部とを有する、請求項１に記載のマルチポートコネクタ。
【請求項３】
前記第２組の継手の各々の継手は、（ｉ）それぞれの外周面に配置されたそれぞれの第１の溝と、（ｉｉ）前記それぞれの第１の溝から軸方向に離れて位置する前記それぞれの外周面に配置されたそれぞれの第２の溝とを有し、それぞれの半径方向シールが前記ブロックの前記対応する貫通孔内で前記それぞれの第１の溝に配置され、それぞれの保持リングが前記第２のクランププレートと前記ブロックの前記第２の端面との間に位置するように前記それぞれの第２の溝に配置される、請求項２に記載のマルチポートコネクタ。
【請求項４】
前記第１組の継手の第１の端部が、前記第１組の継手のうちの一継手と前記第２組の継手のうちの相手方の継手とによって前記ブロックを通る流体通路が形成されるように、前記ブロックの前記対応する貫通孔内で前記第２組の継手のそれぞれの第１の端部と取り合う、請求項２に記載のマルチポートコネクタ。
【請求項５】
前記第１組の継手および前記第２組の継手が互い違いの配置にて配置されるように、前記第１組の継手の継手は、前記第２組の継手のうちの相手方の継手と比べて異なる軸方向長さを有し、前記第１組の継手における隣り合う継手は、互いに異なる軸方向長さを有し、前記第２組の継手における隣り合う継手は、互いに異なる軸方向長さを有する、請求項２に記載のマルチポートコネクタ。
【請求項６】
前記保持リングは、前記クランププレートと直接取り合う第１の端面と、前記ブロックと直接取り合う前記第１の端面の反対側の第２の端面とを有するらせん状保持リングである、請求項１に記載のマルチポートコネクタ。
【請求項７】
前記ブロックは、円盤状であり、前記複数の貫通孔は、前記ブロックの中心の周りに放射状の配列にて配置されている、請求項１に記載のマルチポートコネクタ。
【請求項８】
前記ブロックの前記複数の貫通孔の各々の貫通孔は、前記複数の継手のうちの対応する継手の挿入を容易にするための前記ブロックの端面における導入用の面取りを有する、請求項１に記載のマルチポートコネクタ。
【請求項９】
第１の端面と、前記第１の端面の反対側の第２の端面と、前記第１の端面と前記第２の端面との間を延びる複数の貫通孔とを有するブロックと、
前記ブロックの前記複数の貫通孔に対応および整列するそれぞれの複数の貫通孔を各々が有している第１のクランププレートおよび第２のクランププレートと、
前記第１のクランププレートのそれぞれの貫通孔および前記第１の端面を通って挿入されて前記ブロックの対応する貫通孔に受け入れられる第１の端部と、チューブに結合するように構成された前記第１の端部の反対側の第２の端部とを各々が有している第１組の継手と、
前記第２のクランププレートのそれぞれの貫通孔および前記第２の端面を通って挿入されて前記ブロックの前記対応する貫通孔に受け入れられるそれぞれの第１の端部と、それぞれのチューブに結合するように構成された前記それぞれの第１の端部の反対側のそれぞれの第２の端部とを各々が有している第２組の継手と
を備えており、
前記第１組の継手および前記第２組の継手の各継手は、（ｉ）外周面に配置された第１の環状溝と、（ｉｉ）前記外周面に配置され、前記第１の環状溝から軸方向に離れて位置する第２の環状溝とを有し、半径方向シールが、前記ブロックの前記対応する貫通孔内で前記第１の環状溝に配置され、保持リングが、前記第１または第２のクランププレートのうちのそれぞれのクランププレートと前記ブロックの前記第１または第２の端面のうちのそれぞれの端面との間に位置するように、前記第２の環状溝に配置される、アセンブリ。
【請求項１０】
前記第１組の継手の第１の端部が、前記第１組の継手のうちの一継手と前記第２組の継手のうちの相手方の継手とによって前記ブロックを通る流体通路が形成されるように、前記ブロックの前記対応する貫通孔内で前記第２組の継手のそれぞれの第１の端部と取り合う、請求項９に記載のアセンブリ。
【請求項１１】
前記第１組の継手のうちの一継手は、前記第２組の継手のうちの相手方の継手とは異なる軸方向長さを有する、請求項９に記載のアセンブリ。
【請求項１２】
前記保持リングは、前記第１または第２のクランププレートのうちのそれぞれのクランププレートと直接取り合う第１の表面と、前記ブロックと直接取り合う前記第１の表面の反対側の第２の表面とを有するらせん状保持リングである、請求項９に記載のアセンブリ。
【請求項１３】
前記ブロックの前記複数の貫通孔の各々の貫通孔は、前記第１および第２組の継手のうちの継手の挿入を容易にするための前記ブロックの前記第１の端面および前記第２の端面におけるそれぞれの導入用の面取りを有する、請求項９に記載のアセンブリ。
【請求項１４】
前記第１のクランププレート、前記第２のクランププレート、および前記ブロックは、前記第１のクランププレートおよび前記第２のクランププレートを前記ブロックに結合させるそれぞれの留め具を受け入れるように構成された複数のそれぞれ整列した孔を有する、請求項９に記載のアセンブリ。
【請求項１５】
前記ブロックは、円盤状であり、前記複数の貫通孔は、前記ブロックの中心の周りに放射状の配列にて配置されている、請求項９に記載のアセンブリ。
【請求項１６】
前記少なくとも１つのチャネル内に配置された複数のチューブを収容する少なくとも１つのおおむね弓形のチャネルをさらに備え、
前記アセンブリの前記第１組の継手の第２の端部および第２組の継手の第２の端部のそれぞれは、前記少なくとも１つのチャネル内の前記複数のチューブのそれぞれのチューブに結合する、
請求項９に記載のアセンブリ。
【請求項１７】
前記複数のチューブのうちの第１のチューブが、前記複数の継手のうちの第１の継手に結合する第１の端部と、第１の流体の供給源に結合する第２の端部とを有し、前記複数のチューブのうちの第２のチューブが、前記複数の継手のうちの第２の継手に結合するそれぞれの第１の端部と、第２の流体の供給源に結合するそれぞれの第２の端部とを有する、請求項１６に記載のアセンブリ。
【請求項１８】
出力発生装置と、
前記出力発生装置の周りに放射状の配列にて配置された複数の燃焼キャニスタと
をさらに備える、請求項１６に記載のアセンブリ。
【請求項１９】
前記チャネルは、前記出力発生装置を取り囲み、
前記チューブは、前記複数の燃焼キャニスタへと流体を届けるように構成されている、請求項１８に記載のアセンブリ。
【請求項２０】
前記複数のチューブのうちの第１のチューブが、前記複数の継手のうちの第１の継手に結合する第１の端部と、水の供給源に結合する第２の端部とを有し、前記複数のチューブのうちの第２のチューブが、前記複数の継手のうちの第２の継手に結合するそれぞれの第１の端部と、液体燃料の供給源に結合するそれぞれの第２の端部とを有する、請求項１９に記載のアセンブリ。